(57)【要約】【課題】ミニディスクを挿入してから再生を開始するまでに要する時間を短縮することができるミニディスク記録再生装置を提供する。【解決手段】ミニディスク記録再生装置は、オーディオエリア５に記録されたオーディオデータを読み出すためのピックアップと、ピックアップによってオーディオエリア５から読み出されたオーディオデータを再生するための音声信号処理器とを具備しており、ピックアップは、ＴＯＣエリア２に記録された固有データを読み出すことなくＵＴＯＣエリア４に記録された管理情報を読み出した後、オーディオエリア５に記録されたオーディオデータを読み出す。【選択図】  図４
2004272960.tif 000002
【特許請求の範囲】
【請求項１】
ミニディスクに記録されたオーディオデータを記録再生するためのミニディスク記録再生装置であって、
前記ミニディスクには、前記オーディオデータが記録されたオーディオエリアと前記オーディオデータの管理情報が記録されたＵＴＯＣエリアと前記ミニディスクに固有な固有データが記録されたＴＯＣエリアとが配置されており、
前記オーディオエリアに記録された前記オーディオデータを読み出すためのピックアップと、
前記ピックアップによって前記オーディオエリアから読み出された前記オーディオデータを再生するための音声信号処理器とを具備しており、
前記ピックアップは、前記ＴＯＣエリアに記録された前記固有データを読み出すことなく前記ＵＴＯＣエリアに記録された前記管理情報を読み出した後、前記オーディオエリアに記録された前記オーディオデータを読み出すことを特徴とするミニディスク記録再生装置。
【請求項２】
前記音声信号処理器は、前記ピックアップによって前記ＵＴＯＣエリアから読み出された前記管理情報に基づいて前記オーディオデータを再生する、請求項１記載のミニディスク記録再生装置。
【請求項３】
前記オーディオエリアは、ドーナッツ型の形状をしており、前記ＵＴＯＣエリアは、前記オーディオエリアの内側に配置されている、請求項１記載のミニディスク記録再生装置。
【請求項４】
前記ＴＯＣエリアは、前記ＵＴＯＣエリアの内側に配置されている、請求項１記載のミニディスク記録再生装置。
【請求項５】
前記オーディオエリアに記録された前記オーディオデータは、圧縮されており、
前記音声信号処理器は、前記圧縮されたオーディオデータを伸長する、請求項１記載のミニディスク記録再生装置。
【請求項６】
前記ピックアップによって読み出された前記圧縮されたオーディオデータを格納するためのメモリをさらに具備しており、
前記音声信号処理器は、前記メモリに格納された前記圧縮されたオーディオデータを伸長する、請求項５記載のミニディスク記録再生装置。
【請求項７】
前記ピックアップは、前記オーディオエリアの上へ移動した後、前記ＵＴＯＣエリアの上へ移動して、前記管理情報を読み出す、請求項１記載のミニディスク記録再生装置。
【請求項８】
前記ピックアップは、前記ピックアップによって読み出された前記オーディオデータを前記音声信号処理器が再生している間に、前記ＴＯＣエリアに記録された前記固有データを読み出す、請求項１記載のミニディスク記録再生装置。
【請求項９】
前記ピックアップによって読み出された前記圧縮されたオーディオデータを格納するためのメモリをさらに具備しており、
前記ピックアップは、前記メモリに格納された前記圧縮されたオーディオデータの量が所定値以上である間に、前記ＴＯＣエリアに記録された前記固有データを読み出す、請求項１記載のミニディスク記録再生装置。
【請求項１０】
記録開始時に前記ＴＯＣエリアに記録された前記固有データの読み込みを行ったかどうかを判定し、前記固有データの読み込みを行っている場合はそのまま記録を実行し、前記固有データの読み込みを行っていない場合は前記ミニディスクへオーディオデータを記録する前に一度だけ、前記ＴＯＣエリアに記録された前記固有データを読み込んでから記録を実行する、請求項１記載のミニディスク記録再生装置。
【発明の詳細な説明】
【０００１】
【発明の属する技術分野】
本発明は、ミニディスク（ＭＤ）記録再生装置の起動方法に関し、特に、レコーダブルディスクの記録再生において電源の投入あるいはディスクの挿入から、再生あるいは記録開始までの起動方法に関するものである。
【０００２】
【従来の技術】
信号をデジタル信号の状態で記録再生するディスク媒体として、ミニディスク、すなわち、ＭＤが知られている。このミニディスクにおいては、カートリッジの内部に光磁気ディスクが収納されており、その光磁気ディスク上に形成された１本のらせん状のトラックにデジタル信号が記録再生される。
【０００３】
図９は従来のミニディスク記録再生装置９０の構成を示すブロック図であり、図１０はミニディスク記録再生装置９０によってデジタル信号が記録再生されるミニディスク９１の構成を説明するための模式図である。
【０００４】
ミニディスク９１には、内周側にＴＯＣエリア９２がドーナッツ形状に配置されている。ＴＯＣエリア９２に形成されたトラックには、ミニディスク９１に固有な固有データが記録されている。固有データは、例えばミニディスク９１の記録時間を示すデータと、記録時にこのミニディスク９１に書き込みを行うために必要なレーザーパワーを示す情報等とを含んでいる。このＴＯＣエリア９２に記録された固有データは編集することができない。従って、ユーザーはこのＴＯＣエリア９２への書き込みはできない。
【０００５】
ＴＯＣエリア９２の外側に隣接して、レコーダブルエリア９３が配置されている。レコーダブルエリア９３には、グルーブによって構成されるトラックが形成されている。レコーダブルエリア９３は、ＴＯＣエリア９２の外側に隣接して配置されたＵＴＯＣエリア９４とＵＴＯＣエリア９４の外側に配置されたオーディオエリア９５とオーディオエリア９５の外側に配置されたリードアウトエリア９６とを含んでいる。
【０００６】
オーディオエリア９５に形成されたトラックには、オーディオデータが記録されている。ミニディスクの場合、オーディオデータはＡＴＲＡＣに従って圧縮されたデータである。
【０００７】
ＵＴＯＣエリア９４に形成されたトラックには、オーディオエリア９５に記録されたオーディオデータを管理するための管理情報が記録されている。管理情報は、ユーザーが記録を行ったときに使用されたクラスタの情報とオーディオエリア９５に記録されたオーディオデータによって表される曲の曲名等のデータとを含んでいる。リードアウトエリア９６は、トラックの終了を表すものである。
【０００８】
ミニディスク記録再生装置９０は、光学ピックアップ９７を備えている。光学ピックアップ９７は、ミニディスク９１に配置されたオーディオエリア９５に記録されたオーディオデータを読み出すために設けられており、図示しない駆動回路によってミニディスク９１の半径方向に沿って移動自在に設けられている。
【０００９】
ミニディスク記録再生装置９０には、音声信号処理部９８が設けられている。音声信号処理部９８は、光学ピックアップ９７によって読み出されたオーディオデータを処理するために設けられている。
【００１０】
ミニディスク記録再生装置９０は、メモリ９９を備えている。メモリ９９は、光学ピックアップ９７によって読み出されたオーディオデータを格納する。
【００１１】
再生時には、光学ピックアップ９７はミニディスク９１にレーザー光を照射し、その反射光に基づいて、ミニディスク９１に記録されたオーディオデータを読み取る。ミニディスクの場合、オーディオデータはＡＴＲＡＣに従って、圧縮されたデータである。読み取られたオーディオデータは、音声信号処理部９８に入力される。そしてオーディオデータは、圧縮されたままの状態でメモリー９９へと格納される。
【００１２】
メモリー９９に格納されたオーディオデータの量が所定の一定量を超えると、音声信号処理部９８はメモリー９９から圧縮されたオーディオデータを取り出し、圧縮されたオーディオデータを伸長する。伸長されたオーディオデータは、音声データとして出力される。
【００１３】
また、記録時において、音声信号処理部９８に音声データが入力されると、入力された音声データはＡＴＲＡＣに従って圧縮されて、メモリー９９へ格納される。メモリー９９に格納された圧縮データは、ミニディスク９１に間欠的に記録される。なお、光学ピックアップ９７は、ディスクの最内周から最外周まで移動自在である。
【００１４】
従来のミニディスク記録再生装置９０では、再生あるいは記録のためにミニディスク９１を装置にセットすると、もしくは、ミニディスク９１を挿入した状態で電源が投入されると、そのミニディスク９１のＴＯＣエリア９２に記録された固有データおよびＵＴＯＣエリア９４に記録された管理情報を読み出し、これに基づいてミニディスクの再生および記録を行う。（例えば、特開２０００−３３９７０８号公報（特許文献１）参照）。
【００１５】
図１１は従来のミニディスク記録再生装置９０の動作を示すフローチャートであり、図１２は従来のミニディスク記録再生装置９０の動作を説明するための模式図である。以下、従来のミニディスク記録再生装置９０での再生あるいは記録開始までの動作について、図１１および図１２を参照して説明する。
【００１６】
まず、ミニディスク記録再生装置９０の電源を投入するか、ミニディスク記録再生装置９０にミニディスク９１を挿入することで、処理を開始する（図１１におけるステップＳ９１）。このとき、ピックアップ９７の位置は、図１２における位置Ｐ９１に示すようにミニディスク９１の最内周にある。
【００１７】
次に、ミニディスク９１に記録された各種信号を読み出すために、ミニディスク記録再生装置９０のフォーカス、トラッキングおよびスピンドルの各サーボをオンにする（ステップＳ９２）。前記の各サーボがオンして、ミニディスク９１に記録された各種信号を読み取ることができる状態になった後で、ミニディスク９１に配置されたＴＯＣエリア９２の上へピックアップ９７が移動する（ステップＳ９３）。このとき、ピックアップ９７は図１２に示す位置Ｐ９２にある。
【００１８】
移動完了後、ＴＯＣエリア９２に記録された固有データをピックアップ９７が読み出す（ステップＳ９４）。その後、ピックアップ９７をＵＴＯＣエリア９４の先頭へと移動させる（ステップＳ９５）。
【００１９】
しかしながら、ＴＯＣエリア９２とレコーダブルエリア９３とではミニディスクの物理的な構造が異なるため、ピックアップ９７が横断するトラックの本数を正確にカウントすることができない。このため、一度で正確にＵＴＯＣエリア９４へと移動することはできない。そのため、通常はピックアップ９７が横断するトラック本数を多めにして、ピックアップ９７をオーディオエリア９５（図１２に示す位置Ｐ９３）まで移動させる。
【００２０】
その後、ＵＴＯＣエリア９４の先頭（図１２に示す位置Ｐ９４）へとピックアップ９７を移動する。オーディオエリア９５とＵＴＯＣエリア９４とは共にレコーダブルエリア９３に含まれているので同一の構造である。このため、正確な移動が可能である。
【００２１】
ＵＴＯＣエリア９４の先頭へピックアップ９７が移動した後、ＵＴＯＣエリア９４に記録された管理情報を読み出す（ステップＳ９６）。その後、ピックアップ９７を、再生あるいは記録を開始するトラックの先頭（図１２に示す位置Ｐ９５）へ移動させ、再生あるいは記録を開始する（ステップＳ９７）。
【００２２】
【特許文献１】
特開２０００−３３９７０８号公報
【００２３】
【発明が解決しようとする課題】
しかしながら、前述した従来のミニディスク記録再生装置９０では、ミニディスク９１に配置されたＴＯＣエリア９２に記録された固有データとＵＴＯＣエリア９４に記録された管理情報とを順番に読み出してから、再生あるいは記録を開始する。このため、ユーザーがミニディスク９１をミニディスク記録再生装置９０に挿入してからすぐにオーディオデータを再生しようとしても、音声が出るまでには時間がかかるという問題がある。
【００２４】
本発明の目的は、ミニディスクを挿入してから再生を開始するまでに要する時間を短縮することができるミニディスク記録再生装置を提供することにある。
【００２５】
【課題を解決するための手段】
本発明に係るミニディスク記録再生装置は、ミニディスクに記録されたオーディオデータを記録再生するためのミニディスク記録再生装置であって、前記ミニディスクには、前記オーディオデータが記録されたオーディオエリアと前記オーディオデータの管理情報が記録されたＵＴＯＣエリアと前記ミニディスクに固有な固有データが記録されたＴＯＣエリアとが配置されており、前記オーディオエリアに記録された前記オーディオデータを読み出すためのピックアップと、前記ピックアップによって前記オーディオエリアから読み出された前記オーディオデータを再生するための音声信号処理器とを具備しており、前記ピックアップは、前記ＴＯＣエリアに記録された前記固有データを読み出すことなく前記ＵＴＯＣエリアに記録された前記管理情報を読み出した後、前記オーディオエリアに記録された前記オーディオデータを読み出すことを特徴とする。
【００２６】
【発明の実施の形態】
本実施の形態に係るミニディスク記録再生装置では、ピックアップは、ＴＯＣエリアに記録された固有データを読み出すことなくＵＴＯＣエリアに記録された管理情報を読み出した後、オーディオエリアに記録されたオーディオデータを読み出す。このため、オーディオエリアに記録されたオーディオデータの再生を開始するまでに要する時間を短縮することができる。
【００２７】
前記音声信号処理器は、前記ピックアップによって前記ＵＴＯＣエリアから読み出された前記管理情報に基づいて前記オーディオデータを再生することが好ましい。
【００２８】
前記オーディオエリアは、ドーナッツ型の形状をしており、前記ＵＴＯＣエリアは、前記オーディオエリアの内側に配置されていることが好ましい
前記ＴＯＣエリアは、前記ＵＴＯＣエリアの内側に配置されていることが好ましい
前記オーディオエリアに記録された前記オーディオデータは、圧縮されており、前記音声信号処理器は、前記圧縮されたオーディオデータを伸長することが好ましい。
【００２９】
前記ピックアップによって読み出された前記圧縮されたオーディオデータを格納するためのメモリをさらに具備しており、前記音声信号処理器は、前記メモリに格納された前記圧縮されたオーディオデータを伸長することが好ましい。
【００３０】
前記ピックアップは、前記オーディオエリアの上へ移動した後、前記ＵＴＯＣエリアの上へ移動して、前記管理情報を読み出すことが好ましい。
【００３１】
前記ピックアップは、前記ピックアップによって読み出された前記オーディオデータを前記音声信号処理器が再生している間に、前記ＴＯＣエリアに記録された前記固有データを読み出すことが好ましい。
【００３２】
前記ピックアップによって読み出された前記圧縮されたオーディオデータを格納するためのメモリをさらに具備しており、前記ピックアップは、前記メモリに格納された前記圧縮されたオーディオデータの量が所定値以上である間に、前記ＴＯＣエリアに記録された前記固有データを読み出すことが好ましい。
【００３３】
記録開始時に前記ＴＯＣエリアに記録された前記固有データの読み込みを行ったかどうかを判定し、前記固有データの読み込みを行っている場合はそのまま記録を実行し、前記固有データの読み込みを行っていない場合は前記ミニディスクへオーディオデータを記録する前に一度だけ、前記ＴＯＣエリアに記録された前記固有データを読み込んでから記録を実行することが好ましい。
【００３４】
以下、図面を参照して本発明の実施の形態を説明する。
【００３５】
（実施の形態１）
図１は実施の形態１に係るミニディスク記録再生装置１００の構成を示すブロック図である。ミニディスク記録再生装置１００は、ミニディスク１に記録されたオーディオデータを記録再生する。
【００３６】
図２はミニディスク記録再生装置１００によって記録再生されるミニディスク１の構成を説明するための模式図である。
【００３７】
ミニディスク１には、内周側にＴＯＣエリア２がドーナッツ形状に配置されている。ＴＯＣエリア２に形成されたトラックには、ミニディスク１に固有な固有データが記録されている。固有データは、例えばミニディスク１の記録時間を示すデータと、記録時にこのミニディスク１に書き込みを行うために必要なレーザーパワーを示す情報等とを含んでいる。このＴＯＣエリア２に記録された固有データは編集することができない。従って、ユーザーはこのＴＯＣエリア２への書き込みはできない。
【００３８】
ＴＯＣエリア２の外側に隣接してレコーダブルエリア３が配置されている。レコーダブルエリア３には、グルーブによって構成されるトラックが形成されている。レコーダブルエリア３は、ＴＯＣエリア２の外側に隣接して配置されたＵＴＯＣエリア４とＵＴＯＣエリア４の外側に配置されたオーディオエリア５とオーディオエリア５の外側に配置されたリードアウトエリア６とを含んでいる。
【００３９】
オーディオエリア５に形成されたトラックには、オーディオデータが記録されている。ミニディスクの場合、オーディオデータはＡＴＲＡＣに従って圧縮されたデータである。
【００４０】
ＵＴＯＣエリア４に形成されたトラックには、オーディオエリア５に記録されたオーディオデータを管理するための管理情報が記録されている。管理情報は、ユーザーが記録を行ったときに使用されたクラスタの情報とオーディオエリア５に記録されたオーディオデータによって表される曲の曲名等のデータとを含んでいる。リードアウトエリア６は、トラックの終了を表すものである。
【００４１】
ミニディスク記録再生装置１００は、光学ピックアップ７を備えている。光学ピックアップ７は、ミニディスク１のオーディオエリア５に記録されたオーディオデータを読み出すために設けられており、駆動回路１０によってミニディスク１の半径方向に沿って移動自在に設けられている。
【００４２】
ミニディスク記録再生装置１００には、音声信号処理部８が設けられている。音声信号処理部８は、光学ピックアップ７によって読み出されたオーディオデータを処理するために設けられている。
【００４３】
ミニディスク記録再生装置１００は、メモリ９を備えている。メモリ９は、光学ピックアップ７によって読み出されたオーディオデータを格納する。
【００４４】
再生時には、光学ピックアップ７はミニディスク１にレーザー光を照射し、その反射光に基づいて、ミニディスク１に記録されているオーディオデータを読み取る。ミニディスクの場合、オーディオデータはＡＴＲＡＣに従って、圧縮されたデータである。読み取られたオーディオデータは音声信号処理部８に入力される。そしてオーディオデータは、圧縮されたままの状態でメモリ９へと格納される。
【００４５】
メモリ９に格納されたオーディオデータが所定の一定量を超えてから、音声信号処理部８はメモリ９からオーディオデータを取り出し、圧縮データを伸長する。伸長されたオーディオデータは、音声データとして出力される。
【００４６】
また、記録時には、音声信号処理部８に音声データが入力される。そして、入力された音声データはＡＴＲＡＣに従って圧縮され、メモリ９へ格納される。メモリ９に格納された圧縮データは、ミニディスク１に間欠的に記録される。なお、光学ピックアップ７は、駆動装置１０によって駆動され、ディスクの最内周から最外周まで移動自在である。
【００４７】
図３はミニディスク記録再生装置１００の動作を示すフローチャートであり、図４はミニディスク記録再生装置１００の動作を説明するための模式図である。
【００４８】
まず、ミニディスク記録再生装置１００に電源を投入するか、ミニディスク１を挿入することで、処理を開始する（図３におけるステップＳ１）。このとき、光学ピックアップ７は、図４の位置Ｐ１に示すようにミニディスク１の最内周に位置しているものとする。ただし、本発明は、これに限定されない。光学ピックアップ７は、必ずしもミニディスク１の最内周に位置する必要はない。
【００４９】
次に、ミニディスク１に記録された信号を読み出すため、フォーカス、トラッキングおよびスピンドルの各サーボをオンにする（ステップＳ２）。各サーボがオンして、ミニディスク１に記録された信号を読み取ることができる状態になってから、光学ピックアップ７をＵＴＯＣエリア４の先頭へと移動させる（ステップＳ３）。ただし、従来例と同様に、移動するトラック本数を多めして、ピックアップ７をオーディオエリア５における位置Ｐ２まで移動させる。
【００５０】
その後、ＵＴＯＣエリア４の先頭の位置Ｐ３へとピックアップ７を移動する。ＵＴＯＣエリア４の先頭の位置Ｐ３へアクセスした後、ＵＴＯＣエリア４に記録された管理データを読み出す（ステップＳ４）。そして、ピックアップ７を、再生を開始するオーディオエリア５のトラックの先頭の位置Ｐ４へ移動させ、ミニディスク１から読み出したオーディオデータのメモリー９への取り込みを始め、再生を開始する（ステップＳ５）。
【００５１】
以上のように実施の形態１によれば、ミニディスク記録再生装置１００にミニディスク１を挿入してから再生を開始するまでの処理において、従来の装置と比較して、ＴＯＣエリア２へのアクセス、およびＴＯＣエリア２に記録された固有データを読み出す処理が省略されている。このため、その処理の時間だけ、従来の装置よりも、ミニディスク１を挿入してからオーディオデータの再生を開始するまでに要する時間を短縮することができる。
【００５２】
（実施の形態２）
実施の形態２は、前述した実施の形態１においてオーディオデータの再生を開始（図１に示すステップＳ５）した後で、オーディオデータの再生中にＴＯＣエリア２に記録された固有データを読み出す処理を追加したものである。
【００５３】
図５は実施の形態２に係るミニディスク記録再生装置の動作を示すフローチャートであり、図６は実施の形態２に係るミニディスク記録再生装置の動作を説明するための模式図である。実施の形態２に係るミニディスク記録再生装置は、実施の形態１において前述したミニディスク記録再生装置１００と同様に構成されている。実施の形態１において前述した構成要素と同一の構成要素には同一の参照符号を付している。従って、これらの構成要素の詳細な説明は省略する。
【００５４】
図５に示すフローチャートにおいて、ステップＳ１〜ステップＳ５は、図３を参照して前述したステップＳ１〜ステップＳ５と同一である。図６に示す位置Ｐ１〜位置Ｐ４は、図４を参照して前述した位置Ｐ１〜位置Ｐ４と同一である。このように、実施の形態２においては、ミニディスク記録再生装置にミニディスクを挿入してから、ミニディスクから読み出したデータをメモリー９に取り込み、オーディオデータの再生を開始するまでの処理は、実施の形態１と同一である。
【００５５】
オーディオデータの再生中に、ミニディスク１から読み出したデータはメモリー９へと蓄えられる（ステップＳ６）。ミニディスク１から読み出したデータは圧縮されたデータであるので、オーディオデータの再生中、ピックアップ７は常にミニディスク１上のトラックを追従している必要はない。従って、メモリー９にデータが蓄えられている間は、ピックアップ７は自由に動いても良い。
【００５６】
実施の形態２においては、メモリー９に蓄えられているデータの量が所定値以上である間を利用して、ＴＯＣエリア２に記録された固有データを読み出す。
【００５７】
オーディオデータを再生している間、メモリー９内のデータの残量をチェックする（ステップＳ７）。データの残量が所定値よりも少ない場合は（ステップＳ７においてＮＯ）、データの残量が十分になるまで待機するために、ステップＳ６へ戻る。データの残量が所定値以上になった場合には（ステップＳ７においてＹＥＳ）、ピックアップ７を現在の再生アドレスからＴＯＣエリア２の先頭の位置Ｐ５へ移動させる（ステップＳ８）。
【００５８】
ＴＯＣエリア２の先頭の位置Ｐ５へ移動完了後、ＴＯＣエリア２に記録された固有データを読み込む（ステップＳ９）。ＴＯＣエリア２に記録された固有データの読み込みが完了した後、ピックアップ７を再生アドレス（位置Ｐ６）へと復帰させ、ミニディスク１からのオーディオデータの読み込みを再開する（ステップＳ１０）。
【００５９】
なお、メモリー９に格納されたデータの残量がゼロになると、音飛びが発生するため、図５に示すステップＳ８からステップＳ１０までの処理は、メモリー９内のデータ残量がゼロになる前に完了するようにしなければならない。
【００６０】
以上のように実施の形態２によれば、ミニディスク１を挿入してからオーディオデータの再生を開始するまでに要する時間を、前述した実施の形態１による効果と同様に従来の装置よりも短縮できることに加えて、記録時に必要となるＴＯＣエリアの固有データの読み込みも可能になるため、再生終了直後に記録要求があった場合でも、ＴＯＣエリアに記録された固有データを読み込む必要がなく、すぐに記録を開始することができる。
【００６１】
（実施の形態３）
実施の形態３は、前述した実施の形態１においてＵＴＯＣエリアの管理データの読み込み（図３に示すステップＳ４）が完了した後で、あるいは、オーディオデータの再生を開始した（図３に示すステップＳ５）後で、記録動作を行うときの処理に関している。
【００６２】
図７は実施の形態３に係るミニディスク記録再生装置の動作を示すフローチャートであり、図８は実施の形態３に係るミニディスク記録再生装置の動作を説明するための模式図である。実施の形態３に係るミニディスク記録再生装置は、実施の形態１において前述したミニディスク記録再生装置１００と同様に構成されている。実施の形態１において前述した構成要素と同一の構成要素には同一の参照符号を付している。従って、これらの構成要素の詳細な説明は省略する。
【００６３】
実施の形態３では、ミニディスク記録再生装置１００にミニディスク１を挿入した後、ＵＴＯＣエリア４に記録された管理データの読み込みを完了するまでは、前述した実施の形態１と同一の処理を行い（図３に示すステップＳ１〜ステップＳ４）、すぐに記録要求がされたものとして説明する。
【００６４】
ミニディスクではディスクにデータを圧縮して記録するため、ユーザーから記録の要求があると、音声入力データを音声信号処理部８によって取り込み、取り込んだ音声入力データの圧縮を開始する（ステップＳ３１）。そして、圧縮された音声入力データはメモリー９に取り込まれる。
【００６５】
次に、ＴＯＣエリア２に記録された固有データを読み込んだことがあるか否かを判定する（ステップＳ３２）。ＴＯＣエリア２に記録された固有データを未だ読みこんでいない場合には（ステップＳ３２においてＮＯ）、記録時に必要となるレーザーパワーを示す情報がわからないので、実際にディスクに情報を記録することはできない。そのため、メモリー９に圧縮データを取り込んでいる期間を利用して、ＴＯＣエリア２に記録された固有データを読み込む。
【００６６】
まず、ピックアップ７を記録開始アドレス（図８に示す位置Ｐ７）から、ＴＯＣエリア２の先頭の位置Ｐ８へ移動させる（ステップＳ３３）。ＴＯＣエリア２の先頭の位置Ｐ８へ移動した後、ＴＯＣエリア２に記録された固有データを読み込む（ステップＳ３４）。ＴＯＣエリア２に記録された固有データの読み込みを完了した後、再びピックアップ７を記録開始アドレスを表す位置Ｐ９へ移動（ステップＳ３５）させ、メモリー９に格納されているデータのミニディスク１への記録を開始する（ステップＳ３６）。
【００６７】
ただし、前述したＴＯＣエリア２の固有データの読み込みの処理は、メモリー９が満杯になるまでに終えなければならない。ＴＯＣエリア２に記録された固有データを既に読み込んでいる場合は（ステップＳ３２においてＹＥＳ）、再度ＴＯＣエリア２の固有データを読み込む必要はないので、図７に示すステップＳ３３〜ステップＳ３５の処理は必要なく、そのまま記録を開始する（ステップＳ３６）。
【００６８】
以上のように実施の形態３によれば、前述した実施の形態１による効果と同様にミニディスクを挿入してからオーディオデータの再生開始までに要する時間を従来の装置よりも短縮できることに加えて、ＴＯＣエリア２に記録された固有データを未だ読み込んでない時に記録開始の要求があっても、正常に記録動作を行うことが可能である。
【００６９】
従来のミニディスク記録再生装置では、ミニディスクを挿入してから、再生および記録するまでの処理は共通であるため、開発の効率は良かった。これに対して実施の形態１〜実施の形態３に係るミニディスク記録再生装置では、再生時と記録時とで若干フローを別のものにするため、従来の方法と比較して開発の効率は少し悪くなるけれども、それ以上に、製品化時において、ミニディスクを挿入してからオーディオデータの再生を開始するまでに要する時間の短縮に顕著な効果がある。
【００７０】
【発明の効果】
以上のように本発明によれば、ミニディスクを挿入してから再生を開始するまでに要する時間を短縮することができるミニディスク記録再生装置を提供することができる。
【図面の簡単な説明】
【図１】実施の形態１に係るミニディスク記録再生装置の構成を示すブロック図
【図２】実施の形態１に係るミニディスク記録再生装置によって記録再生されるミニディスクの構成を説明するための模式図
【図３】実施の形態１に係るミニディスク記録再生装置の動作を示すフローチャート
【図４】実施の形態１に係るミニディスク記録再生装置の動作を説明するための模式図
【図５】実施の形態２に係るミニディスク記録再生装置の動作を示すフローチャート
【図６】実施の形態２に係るミニディスク記録再生装置の動作を説明するための模式図
【図７】実施の形態３に係るミニディスク記録再生装置の動作を示すフローチャート
【図８】実施の形態３に係るミニディスク記録再生装置の動作を説明するための模式図
【図９】従来のミニディスク記録再生装置の構成を示すブロック図
【図１０】従来のミニディスク記録再生装置によって記録再生されるミニディスクの構成を説明するための模式図
【図１１】従来のミニディスク記録再生装置の動作を示すフローチャート
【図１２】従来のミニディスク記録再生装置の動作を説明するための模式図
【符号の説明】
１  ミニディスク
２  ＴＯＣエリア
４  ＵＴＯＣエリア
５  オーディオエリア
７  ピックアップ
８  音声信号処理部
９  メモリ
１００  ミニディスク記録再生装置
【図１】
2004272960.tif 000003
【図２】
2004272960.tif 000004
【図３】
2004272960.tif 000005
【図４】
2004272960.tif 000006
【図５】
2004272960.tif 000007
【図６】
2004272960.tif 000008
【図７】
2004272960.tif 000009
【図８】
2004272960.tif 000010
【図９】
2004272960.tif 000011
【図１０】
2004272960.tif 000012
【図１１】
2004272960.tif 000013
【図１２】
2004272960.tif 000014